(57)【要約】【課題】表示画面を有効に利用することを可能とした画像表示装置を提供する。【解決手段】デジタルカメラ１は、撮像素子１０２、表示制御部１０６、ビデオメモリ１０７、モニタ１０８、画角変更スイッチ２０３、十字キー２０５、表示切替スイッチ２０６、表示入替スイッチ２０７を備える。表示制御部１０６は、モニタ１０８の表示領域と全体画像とが相似であるか否かを判定する。表示制御部１０６は、モニタ１０８の表示領域と全体画像とが相似でないと判断した場合、前記非相似に伴いモニタ１０８の表示領域に発生するブランク領域を検出する。表示制御部１０６は、モニタ１０８の表示領域に占めるブランク領域の割合が閾値以上の場合、ブランク領域に部分画像を表示する。【選択図】図１
2007306145.tif 000002
【特許請求の範囲】
【請求項１】
画像を表示する表示画面を備えた画像表示装置であって、
前記表示画面に第１の画像を表示する第１の表示制御手段と、
前記表示画面と前記第１の画像とが相似であるか否かを判定する判定手段と、
前記判定手段により前記表示画面と前記第１の画像とが非相似であると判定された場合、前記非相似に伴い前記表示画面に発生するブランク領域を検出する検出手段と、
前記検出手段により検出された前記表示画面の前記ブランク領域に第２の画像を表示する第２の表示制御手段と、
を備えることを特徴とする画像表示装置。
【請求項２】
前記第２の画像は、前記第１の画像の一部又は全部であることを特徴とする請求項１記載の画像表示装置。
【請求項３】
前記第２の画像の表示枚数は、１枚又は複数枚であることを特徴とする請求項１又は２記載の画像表示装置。
【請求項４】
前記第１の画像は、動画像であり、前記第２の画像は、前記第１の画像の他のフレームの一部又は全部であることを特徴とする請求項１記載の画像表示装置。
【請求項５】
前記第１の表示制御手段は、前記表示画面に表示された前記第１の画像上に前記第２の画像に対応する領域を示す範囲を重畳して表示することを特徴とする請求項１乃至４の何れかに記載の画像表示装置。
【請求項６】
前記第１の画像上における前記第２の画像に対応する領域を示す範囲の移動、前記範囲内の画像を前記ブランク領域に前記第２の画像として表示する際の拡大縮小率を指示する第１の入力手段を更に備えることを特徴とする請求項１乃至５の何れかに記載の画像表示装置。
【請求項７】
前記表示画面における前記第１の画像の表示領域と前記第２の画像の表示領域の入れ替えを指示する第２の入力手段を更に備えることを特徴とする請求項１乃至６の何れかに記載の画像表示装置。
【請求項８】
前記表示画面に、前記第１の画像を表示するモード、前記第２の画像を表示するモード、前記第１の画像と前記第２の画像を表示するモードの切り替えを指示する第３の入力手段を更に備えることを特徴とする請求項１乃至７の何れかに記載の画像表示装置。
【請求項９】
前記第２の表示制御手段は、前記表示画面の前記ブランク領域の全体に前記第２の画像を表示することを特徴とする請求項１記載の画像表示装置。
【請求項１０】
前記第２の表示制御手段は、前記表示画面に対する前記ブランク領域の割合が予め設定された閾値以下である場合、前記第２の画像の表示は行わないことを特徴とする請求項１記載の画像表示装置。
【請求項１１】
前記画像表示装置が搭載される機器は、撮像装置、テレビジョン受像機を含む群から選択されることを特徴とする請求項１乃至１０の何れかに記載の画像表示装置。
【請求項１２】
画像を表示する表示画面を備えた画像表示装置の制御方法であって、
前記表示画面に第１の画像を表示する第１の表示制御ステップと、
前記表示画面と前記第１の画像とが相似であるか否かを判定する判定ステップと、
前記判定ステップにより前記表示画面と前記第１の画像とが非相似であると判定された場合、前記非相似に伴い前記表示画面に発生するブランク領域を検出する検出ステップと、
前記検出ステップにより検出された前記表示画面の前記ブランク領域に第２の画像を表示する第２の表示制御ステップと、
を備えることを特徴とする制御方法。
【請求項１３】
前記請求項１２記載の画像表示装置の制御方法をコンピュータに実行させるプログラム。
【発明の詳細な説明】
【技術分野】
【０００１】
本発明は、撮影画像の表示を行う画像表示装置、制御方法、及びプログラムに関する。
【背景技術】
【０００２】
今日、画像を撮影するデジタルカメラやデジタルビデオカメラが急速に普及している。従来、デジタルカメラやデジタルビデオカメラによる撮影で得られる画像は、アスペクト比（縦横比）が４：３であった。しかし、近年、アスペクト比が１６：９であるワイドテレビジョン受像機の普及に伴い、１６：９などのアスペクト比の画像を撮影可能なデジタルカメラが実用化されている。今後も、様々なアスペクト比で撮影可能なデジタルカメラやデジタルビデオカメラが増えてくることが予想される。
【０００３】
一方、上述したデジタルカメラに関しては、焦点が合った画像をデジタルカメラのモニタに拡大表示する技術が提案されている（例えば、特許文献１参照）。
【特許文献１】特開２００５−１４２６６０号公報
【発明の開示】
【発明が解決しようとする課題】
【０００４】
上述したデジタルカメラやデジタルビデオカメラで撮影した画像を表示装置に表示することは、一般によく行われている。例えば、撮影しようとしている画像や撮影した画像をモニタに表示してユーザに確認させる機能は、殆どのデジタルカメラが有している。また、デジタルカメラをテレビジョン受像機に接続し、デジタルカメラで撮影した画像をテレビジョン受像機の画面に表示して鑑賞することも多い。
【０００５】
ところで、デジタルカメラで画像を撮影する場合、デジタルカメラを縦にして撮影することで縦長の画像を撮影することがある。このような縦長の画像をデジタルカメラのモニタやテレビジョン受像機の画面に表示する場合、図１０に示すように画像を表示しない領域１００１（以下ブランク領域と表記）が表示画面１０００に生じる。このブランク領域１００１は、表示画面１０００の形状と表示画像１００２の形状とが相似でない場合に必ず発生するものである。
【０００６】
特に、表示画面のアスペクト比が１６：９で、画像のアスペクト比が９：１６である場合など、図１１に示すようにブランク領域１１０１が表示画面１１００の大きな割合を占めてしまう。その結果、表示画面１１００における表示画像１１０２の領域はブランク領域１１０１に挟まれた狭い領域となり、表示画面１１００を有効に利用できないという問題がある。
【０００７】
本発明の目的は、表示画面を有効に利用することを可能とした画像表示装置、制御方法、及びプログラムを提供することにある。
【課題を解決するための手段】
【０００８】
上述の目的を達成するために、本発明の画像表示装置は、画像を表示する表示画面を備えた画像表示装置であって、前記表示画面に第１の画像を表示する第１の表示制御手段と、前記表示画面と前記第１の画像とが相似であるか否かを判定する判定手段と、前記判定手段により前記表示画面と前記第１の画像とが非相似であると判定された場合、前記非相似に伴い前記表示画面に発生するブランク領域を検出する検出手段と、前記検出手段により検出された前記表示画面の前記ブランク領域に第２の画像を表示する第２の表示制御手段と、を備えることを特徴とする。
【発明の効果】
【０００９】
本発明によれば、画像表示装置の表示画面と表示する画像が相似でない場合に、非相似に伴い表示画面に発生するブランク領域に画像の表示を行うため、表示画面を有効に利用することが可能となる。
【発明を実施するための最良の形態】
【００１０】
以下、本発明の実施の形態を図面を参照して説明する。
【００１１】
先ず、本発明の実施の形態に係る撮像装置としてのデジタルカメラの各部の構成について説明する。
【００１２】
図１は、本実施の形態に係る撮像装置としてのデジタルカメラの電気系の構成を示すブロック図である。図２は、デジタルカメラの外観を示す斜視図であり、（ａ）は、正面側の構成を示す斜視図、（ｂ）は、背面側の構成を示す斜視図である。
【００１３】
図１及び図２において、デジタルカメラ１は、撮影レンズ１０１を筐体正面に備え、モニタ１０８、十字キー２０５、表示切替スイッチ２０６、表示入替スイッチ２０７を筐体背面に備えている。また、デジタルカメラ１は、レリーズスイッチ２０２、画角変更スイッチ２０３を筐体上面に備えている。また、デジタルカメラ１は、撮像素子１０２、Ａ／Ｄ変換器１０３、画像処理部１０４、記録部１０５、表示制御部１０６、ビデオメモリ１０７、スイッチ１０９、入力部１１０を筐体内部に備えている。
【００１４】
撮影レンズ１０１は、デジタルカメラによる撮影に伴う被写体の光学像を撮像素子１０２に結像させる。レリーズスイッチ２０２は、撮影時にシャッタを切る際に用いる。画角変更スイッチ２０３は、撮影の画角を変える際に用いる。モニタ１０８は、表示制御部１０６の制御に基づき撮影画像を表示する表示部である。画角変更スイッチ２０３、十字キー２０５、表示切替スイッチ２０６、表示入替スイッチ２０７の機能については図５及び図６の説明と共に後述する。
【００１５】
デジタルカメラによる撮影に伴い撮影レンズ１０１を透過した被写体の光学像は、撮像素子１０２に入射する。撮像素子１０２は、被写体の光学像を電気信号（アナログ像信号）に光電変換する。撮像素子１０２により光電変換されたアナログ像信号は、Ａ／Ｄ変換器１０３によりデジタル信号にＡ／Ｄ変換される。Ａ／Ｄ変換器１０３によりＡ／Ｄ変換されたデジタル信号は、画像処理部１０４によりγ変換・色調整・シャープネス等の処理が加えられ、圧縮されたデータとして記録部１０５に記録される。
【００１６】
表示制御部１０６は、モニタ１０８に対する画像の表示を行うものであり、モニタ１０８におけるブランク領域を検出する機能を有する。また、表示制御部１０６は、プログラムに基づき図３及び図４のフローチャートに示す処理を実行する。画像処理部１０４により処理されている画像や、記録部１０５に記録されている画像は、表示制御部１０６によりビデオメモリ１０７に書き込むことで、モニタ１０８に表示することができる。スイッチ１０９は、画像処理部１０４により処理されている画像と記録部１０５に記録されている画像のどちらをモニタ１０８に表示するかを、ユーザによる入力部１１０を介した指示に基づき切り替える。
【００１７】
図５は、デジタルカメラの画像表示例であり、ブランク領域に１枚の部分画像を表示した例を示す図である。図６は、デジタルカメラの表示モード切り替え例であり、（ａ）は、全体画像のみを表示した例を示す図、（ｂ）は、全体画像と部分画像を表示した例を示す図、（ｃ）は、部分画像のみを表示した例を示す図である。
【００１８】
図２、図５及び図６において、十字キー２０５は、図５に示すようにモニタ１０８に表示する枠５０３を移動させ、枠５０３の表示位置を変更する際に用いる。画角変更スイッチ２０３は、枠５０３の大きさを変え、枠５０３内の画像をブランク領域に表示する際の拡大率／縮小率を変更する際に用いる。表示切替スイッチ２０６は、モニタ１０８に対する画像の表示モードを、第１の表示モード、第２の表示モード、第３の表示モードの何れかに切り替える際に用いる。
【００１９】
図６に示すように、第１の表示モードは、モニタ１０８に全体画像６０１のみを表示するモードである。第２の表示モードは、モニタ１０８に全体画像６０２と部分画像６０３を表示するモードである。第３の表示モードは、モニタ１０８に部分画像６０４のみを表示するモードである。ここで、部分画像とは、全体画像の一部を拡大した画像である。十字キー２０５や画角変更スイッチ２０３により、全体画像のどの部分を拡大するかを指定することができる。
【００２０】
表示入替スイッチ２０７は、モニタ１０８に全体画像と部分画像（拡大画像）を同時に表示しているとき、全体画像と部分画像の表示位置を逆にする（表示領域を入れ替える）際に用いる。ユーザはモニタ１０８に表示された画像を見ながら十字キー２０５を操作し、自分の興味のある画像の部位に枠５０３を移動させることで、全体画像や部分画像を確認することができる。表示制御部１０６は、ユーザによる上記各スイッチの操作に応じてモニタ１０８に対する表示対象画像を加工することで、図６（ａ）〜（ｃ）の何れかに示すような表示を行う。
【００２１】
次に、本実施の形態の特徴（本発明の概念）について説明する。デジタルカメラにおいては情報を電気的な信号として扱うので、光学系を通過した撮影前後の画像や記録部１０５に記録されている画像をモニタ１０８に表示することが簡単にできる。
【００２２】
そこで、先ず、表示制御部１０６は、アスペクト比に基づきモニタ１０８のブランク領域５００を検出する。次に、表示制御部１０６は、モニタ１０８に対し、図５に示すように撮影した全体画像５０１を表示し、全体画像５０１の一部を拡大した部分画像５０２（枠５０３内の画像を拡大した画像）をブランク領域５００に表示する。図５は、ブランク領域５００の全体に部分画像５０２を表示した例である。尚、ブランク領域５００に表示する画像は、部分画像に限定されず全体画像でもよい。
【００２３】
本実施の形態では、モニタ１０８のアスペクト比は１６：９であり、撮影画像のアスペクト比は９：１６であるが、それ以外のアスペクト比であっても構わない。部分画像５０２は、画像処理部１０４が全体画像５０１より大きな元画像を画像処理により拡大することで作成される。そのため、全体画像５０１自体を画像処理により拡大する方法に比べ、高画質化を実現することが可能である。また、表示制御部１０６は、全体画像５０１上に拡大部位を示す枠５０３を重畳させて表示する。
【００２４】
次に、上記構成を有する本実施の形態のデジタルカメラにおける画像作成及び表示処理について図３及び図４のフローチャートを参照しながら説明する。
【００２５】
図３及び図４は、デジタルカメラにおける画像作成及び表示処理を示すフローチャートである。
【００２６】
図３及び図４において、先ず、デジタルカメラの表示制御部１０６は、モニタ（表示部）１０８の表示領域の縦横形状と、モニタ１０８に表示対象とする全体画像の縦横形状とが相似であるかどうかを判定する（ステップＳ１０１）。ステップＳ１０１でモニタ１０８の表示領域の縦横形状と全体画像の縦横形状とが相似であると判断した場合は、表示制御部１０６は、ステップＳ１１０に移行する。
【００２７】
表示制御部１０６は、画像処理部１０４で画像処理された画像または記録部１０５に記録されている画像から全体画像を作成する（ステップＳ１１０）。次に、表示制御部１０６は、ステップＳ１１０で作成した全体画像のデータをビデオメモリ１０７に書き込む（書き出す）（ステップＳ１１１）。そして、表示制御部１０６は、ビデオメモリ１０７の書き込み内容をモニタ１０８に表示する（ステップＳ１０９）。
【００２８】
他方、上記ステップＳ１０１の判定でモニタ１０８の表示領域の縦横形状と全体画像の縦横形状とが相似でないと判断した場合は、ステップＳ１０２に移行する。表示制御部１０６は、モニタ１０８の表示が図６に示すような全体画像６０１のみであるかどうかを調べる（ステップＳ１０２）。ステップＳ１０２の判定でモニタ１０８の表示が全体画像６０１のみであると判断した場合は、表示制御部１０６は、ステップＳ１１０に移行する。
【００２９】
表示制御部１０６は、画像処理部１０４で画像処理された画像または記録部１０５に記録されている画像から全体画像を作成する（ステップＳ１１０）。次に、表示制御部１０６は、ステップＳ１１０で作成した全体画像のデータをビデオメモリ１０７に書き込む（ステップＳ１１１）。そして、表示制御部１０６は、ビデオメモリ１０７の書き込み内容をモニタ１０８に表示する（ステップＳ１０９）。
【００３０】
他方、上記ステップＳ１０２の判定でモニタ１０８の表示が全体画像６０１のみでないと判断した場合は、ステップＳ１０３に移行する。表示制御部１０６は、モニタ１０８の表示が図６に示すような部分画像６０３のみであるかどうかを調べる（ステップＳ１０３）。ステップＳ１０３の判定でモニタ１０８の表示が部分画像６０３のみであると判断した場合は、表示制御部１０６は、ステップＳ１１２に移行する。
【００３１】
表示制御部１０６は、画像処理部１０４で画像処理された画像または記録部１０５に記録されている画像から部分画像を作成する（ステップＳ１１２）。次に、表示制御部１０６は、ステップＳ１１２で作成した部分画像のデータをビデオメモリ１０７に書き込む（ステップＳ１１３）。そして、表示制御部１０６は、ビデオメモリ１０７の書き込み内容をモニタ１０８に表示する（ステップＳ１０９）。
【００３２】
他方、上記ステップＳ１０３の判定でモニタ１０８の表示が部分画像６０３のみでないと判断した場合は、ステップＳ１０４に移行する。表示制御部１０６は、モニタ１０８に全体画像を表示したときのブランク領域を求める（ステップＳ１０４）。次に、表示制御部１０６は、モニタ１０８に占めるブランク領域の面積（割合）が予め設定した閾値以下かどうかを計算する（ステップＳ１０５）。ステップＳ１０５の判定でモニタ１０８に占めるブランク領域の面積（割合）が閾値以下であると判断した場合は、表示制御部１０６は、ステップＳ１１０に移行する。
【００３３】
表示制御部１０６は、画像処理部１０４で画像処理された画像または記録部１０５に記録されている画像から全体画像を作成する（ステップＳ１１０）。次に、表示制御部１０６は、ステップＳ１１０で作成した全体画像のデータをビデオメモリ１０７に書き込む（ステップＳ１１１）。そして、表示制御部１０６は、ビデオメモリ１０７の書き込み内容をモニタ１０８に表示する（ステップＳ１０９）。
【００３４】
他方、上記ステップＳ１０５の判定でモニタ１０８に占めるブランク領域の面積（割合）が閾値以下でないと判断した場合は、ステップＳ１０６に移行する。表示制御部１０６は、画像処理部１０４で画像処理された画像または記録部１０５に記録されている画像から全体画像を作成する（ステップＳ１０６）。
【００３５】
次に、表示制御部１０６は、画像処理部１０４で画像処理された画像または記録部１０５に記録されている画像から部分画像を作成する（ステップＳ１０７）。次に、表示制御部１０６は、ステップＳ１０６で作成した全体画像のデータとステップＳ１０７で作成した部分画像のデータをビデオメモリ１０７に書き込む（ステップＳ１０８）。そして、表示制御部１０６は、ビデオメモリ１０７の書き込み内容をモニタ１０８に表示する（ステップＳ１０９）。
【００３６】
以上説明したように、本実施の形態によれば、表示制御部１０６は、モニタ１０８の表示領域と全体画像とが相似であるか否かを判定し、相似でないと判断した場合、前記非相似に伴いモニタ１０８の表示領域に発生するブランク領域を検出する。表示制御部１０６は、モニタ１０８の表示領域に占めるブランク領域の割合が閾値以上の場合、ブランク領域に部分画像を表示する。このように、モニタ１０８の表示領域と表示する画像が相似でない場合にモニタ１０８のブランク領域に画像の表示を行うことで、モニタ１０８の表示領域を有効に利用することが可能となる。
【００３７】
［他の実施の形態］
上記実施の形態では、十字キー２０５や画角変更スイッチ２０３により全体画像のどの部分を拡大するかを指定する場合を例に挙げたが、本発明は、これに限定されるものではない。例えば、表示制御部１０６が全体画像の中から人間の顔を中心とした領域を選択し、該選択した領域をモニタ１０８に拡大表示するようにしてもよい。
【００３８】
上記実施の形態では、ブランク領域に１枚の画像を表示する場合を例に挙げたが、本発明は、これに限定されるものではない。例えば、図７に示すようにモニタ１０８のブランク領域に複数枚（図７の例では２枚の拡大画像７０１、７０２）を表示するようにしてもよい。
【００３９】
上記実施の形態では、ブランク領域に全体画像の一部を拡大した部分画像を表示する場合を例に挙げたが、本発明は、これに限定されるものではない。例えば、図８に示すようにモニタ１０８に動画像を表示する際、モニタ１０８のブランク領域に動画像である全体画像の前のフレーム８０１と後のフレーム８０２を表示するようにしてもよい。この場合、モニタ１０８のブランク領域には、全体画像の他のフレームの一部または全部を表示するようにしてよい。
【００４０】
上記実施の形態では、デジタルカメラにおける画像表示制御を例に挙げたが、本発明は、これに限定されるものではない。デジタルビデオカメラやテレビジョン受像機における画像表示制御にも適用することができる。例えば、図９に示すようにデジタルカメラ９００とテレビジョン受像機９０１を接続し、テレビジョン受像機９０１の表示画面９０２にデジタルカメラ９００で撮影した画像を表示するようにしてもよい。
【００４１】
また、本発明の目的は、前述した各実施の形態の機能を実現するソフトウェアのプログラムコードを記憶した記憶媒体を、システム或いは装置に供給し、以下の処理を行うことによりも達成される。即ち、そのシステム或いは装置のコンピュータ（またはＣＰＵやＭＰＵ等）が記憶媒体に格納されたプログラムコードを読み出し実行することによりも達成される。
【００４２】
この場合、記憶媒体から読み出されたプログラムコード自体が前述した各実施の形態の機能を実現することになり、そのプログラムコード及び該プログラムコードを記憶した記憶媒体は本発明を構成することになる。
【００４３】
また、プログラムコードを供給するための記憶媒体としては、例えば、フロッピー（登録商標）ディスク、ハードディスク、光磁気ディスクを用いることができる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００４４】
また、コンピュータが読み出したプログラムコードを実行することにより、前述した各実施の形態の機能が実現されるだけではなく、以下の場合も含まれる。即ち、そのプログラムコードの指示に基づき、コンピュータ上で稼動しているＯＳ（オペレーティングシステム）等が実際の処理の一部または全部を行い、その処理により前述した各実施の形態の機能が実現される場合も含まれる。
【００４５】
更に、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、以下の処理を行う場合も含まれる。即ち、その拡張機能を拡張ボードや拡張ユニットに備わるＣＰＵ等が実際の処理の一部または全部を行い、その処理により前述した各実施の形態の機能が実現される場合も含まれる。
【図面の簡単な説明】
【００４６】
【図１】本発明の実施の形態に係る撮像装置としてのデジタルカメラの電気系の構成を示すブロック図である。
【図２】デジタルカメラの外観を示す斜視図であり、（ａ）は、正面側の構成を示す斜視図、（ｂ）は、背面側の構成を示す斜視図である。
【図３】デジタルカメラにおける画像作成及び表示処理を示すフローチャートである。
【図４】図３の続きを示すフローチャートである。
【図５】デジタルカメラの画像表示例であり、ブランク領域に１枚の部分画像を表示した例を示す図である。
【図６】デジタルカメラの表示モード切り替え例であり、（ａ）は、全体画像のみを表示した例を示す図、（ｂ）は、全体画像と部分画像を表示した例を示す図、（ｃ）は、部分画像のみを表示した例を示す図である。
【図７】他の実施の形態に係る画像表示例であり、ブランク領域に２枚の部分画像を表示した例を示す図である。
【図８】他の実施の形態に係る画像表示例であり、ブランク領域に動画の前後のフレームを表示した例を示す図である。
【図９】他の実施の形態に係る画像表示例であり、テレビジョン受像機の表示例を示す図である。
【図１０】従来例に係る画像表示例であり、ブランク領域が生じる例を示す図である。
【図１１】従来例に係る画像表示例であり、ブランク領域が表示画面の多くの割合を占めている例を示す図である。
【符号の説明】
【００４７】
１  デジタルカメラ（撮像装置）
１０２  撮像素子
１０４  画像処理部
１０５  記録部
１０６  表示制御部（判定手段、検出手段、第１の表示制御手段、第２の表示制御手段）
１０８  モニタ（表示画面）
２０３  画角変更スイッチ（第１の入力手段）
２０５  十字キー（第１の入力手段）
２０６  表示切替スイッチ（第３の入力手段）
２０７  表示入替スイッチ（第２の入力手段）
９０１  テレビジョン受像機
【図１】
2007306145.tif 000003
【図２】
2007306145.tif 000004
【図３】
2007306145.tif 000005
【図４】
2007306145.tif 000006
【図５】
2007306145.tif 000007
【図６】
2007306145.tif 000008
【図７】
2007306145.tif 000009
【図８】
2007306145.tif 000010
【図９】
2007306145.tif 000011
【図１０】
2007306145.tif 000012
【図１１】
2007306145.tif 000013